(57)【要約】本発明は、特にデジタル記録モードで動作するとき、ユーザ選択に応答して、複数のデジタルビデオチャネル及びアナログビデオチャネルのうちの１つを選択する装置及び方法に関する。ユーザは、ユーザ選択によってチャネルシーケンスにおける次のチャネルの選択が生じるチャネルスキャンモード、又はユーザが選択されるべき特定のチャネル番号を入力するダイレクトチャネルモードのいずれかを使用してチャネルを選択する場合がある。記録モードで動作するとき、本装置は、チャネルスキャンモードでチャネル選択を受け、本装置は、シーケンスにおいて次のデジタルチャネルを選択し、いずれかの介入するアナログチャネルをスキップする。記録モードで動作するとき、本装置がダイレクトチャネル選択モードでチャネル選択を受け、選択されたチャネルがアナログチャネルである場合に本装置はチャネルを選択して記録モードを終了し、選択されたチャネルがデジタルチャネルである場合に記録モードを維持する。
2007520933.tif 000002
【特許請求の範囲】
【請求項１】
ビデオ信号処理装置を制御する方法であって、
チャネルスキャンモードとダイレクトチャネルセレクションモードのうちの１つを使用したチャネル選択コマンドに対応するユーザ入力に応答して、デジタルビデオチャネルとアナログビデオチャネルを含む複数のビデオチャネルから第一のビデオチャネルを選択するステップと、
デジタル記録モードの作動に応答して、選択されたデジタルビデオチャネルを介して受信されたプログラム信号をストレージ装置に転送するステップと、
前記デジタル記録モードの間に前記ユーザ入力に応答して、前記複数のデジタルビデオチャネルとアナログビデオチャネルのうちの新たな１つを選択するステップと、
前記チャネルスキャンモードが使用された場合、チャネルスキャンシーケンスにおいて次のデジタルビデオチャネルを選択し、前記チャネルスキャンシーケンスにおいて現在選択されたビデオチャネルと次のデジタルビデオチャネルとの間で介入するアナログビデオチャネルをスキップし、前記デジタル記録モードを維持するステップと、
を含むことを特徴とする方法。
【請求項２】
前記ユーザ入力が前記ダイレクトチャネルセレクションモードを使用し、前記選択されたチャネルがアナログビデオチャネルに対応する場合、前記アナログビデオチャネルを選択し、前記デジタル記録モードを終了するステップと、前記選択されたチャネルがデジタルビデオチャネルに対応する場合、前記デジタルビデオチャネルを選択し、前記デジタル記録モードを維持するステップとを更に含む、
請求項１記載の方法。
【請求項３】
前記デジタル記録モードは、ユーザ入力装置での予め決定されたキーのユーザ選択に応答して始動される、
請求項２記載の方法。
【請求項４】
前記デジタル記録モードは、デジタル信号チャネルのユーザ選択に応答して始動される、
請求項２記載の方法。
【請求項５】
前記プログラム信号は、前記ストレージ装置における指定されたバッファに記憶される、
請求項２記載の方法。
【請求項６】
前記ストレージ装置は、ＩＥＥＥ１３９４バスを介してテレビジョン装置に結合されるハードディスク装置を有する、
請求項５記載の方法。
【請求項７】
前記デジタルビデオチャネルは、それぞれメジャー及びマイナーチャネル番号により指定され、新たに選択されたビデオチャネルが新たなメジャーチャネル番号を有するサブチャネルに対応する場合、前記指定されたバッファに記憶されているプログラム信号を消去する、
請求項５記載の方法。
【請求項８】
ＰＩＤフィルタリングがイネーブルにされたかを判定するステップを更に含み、前記ＰＩＤフィルタリングがイネーブルにされた場合、新たなデジタルビデオチャネルの選択に応じて前記指定されたバッファに記憶されているプログラム信号を削除する、
請求項５記載の方法。
【請求項９】
ＰＩＤフィルタリングがイネーブルにされたかを判定するステップを更に含み、前記ＰＩＤフィルタリングがイネーブルにされていない場合、前記デジタルビデオチャネルがそれぞれメジャー及びマイナーチャネル番号により指定され、前記新たに選択されたデジタルビデオチャネルが新たなメジャーチャネル番号を有するサブチャネルに対応するときにのみ、前記指定されたバッファに記憶されているプログラム信号を削除する、
請求項５記載の方法。
【請求項１０】
チャネルスキャンモードとダイレクトチャネルモードのうちの１つを使用してチャネル選択コマンドを含むユーザ入力を受信する手段と、
前記チャネル選択コマンドに応答して複数のデジタルビデオチャネルとアナログビデオチャネルのうちの１つを選択し、前記ビデオチャネルの選択された１つに関連するプログラム信号を取得する手段と、
装置が記録モードにあるとき、デジタルバスを介して選択されたプログラム信号からストレージ装置に転送する手段と、
前記受信手段、選択手段及び転送手段に結合され、ユーザ入力に応答して当該装置の動作を制御する手段とを有し、
受信されたチャネル選択コマンドが前記チャネルスキャンモードを使用する場合、前記選択手段は、チャネルスキャンシーケンスにおいて次のデジタルビデオチャネルを選択し、現在選択されたビデオチャネルと次のデジタルビデオチャネルとの間で介入するアナログビデオチャネルをスキップし、前記デジタル記録モードを維持する、
ことを特徴とする装置。
【請求項１１】
受信されたチャネル選択コマンドが前記ダイレクトチャネルセレクションモードを使用する場合、前記選択されたチャネルがアナログビデオチャネルに対応する場合、前記選択手段は、前記アナログビデオチャネルを選択し、前記デジタル記録モードを終了するステップと、前記選択されたチャネルがデジタルビデオチャネルに対応する場合、前記選択手段は、前記デジタルビデオチャネルを選択し、当該装置は前記デジタル記録モードを維持する、
請求項１０記載の装置。
【請求項１２】
前記制御手段は、ユーザ入力装置での予め決定されたキーのユーザ選択に応答して前記デジタル記録モードを始動する、
請求項１１記載の装置。
【請求項１３】
前記制御手段は、デジタル信号チャネルのユーザ選択に応答して前記デジタル記録モードを始動する、
請求項１１記載の装置。
【請求項１４】
前記プログラム信号は、前記ストレージ装置における指定されたバッファに記憶される、
請求項１１記載の装置。
【請求項１５】
前記ストレージ装置は、ＩＥＥＥ１３９４バスを介してテレビジョン装置に結合されるハードディスク装置を有する、
請求項１１記載の装置。
【請求項１６】
前記デジタルビデオチャネルは、それぞれメジャー及びマイナーチャネル番号により指定され、新たに選択されたビデオチャネルが新たなメジャーチャネル番号を有するサブチャネルに対応する場合、前記制御手段は、前記指定されたバッファに記憶されているプログラム信号を前記ストレージ装置に消去させる、
請求項１５記載の装置。
【請求項１７】
前記制御手段は、ＰＩＤフィルタリングがイネーブルにされたかを判定し、前記ＰＩＤフィルタリングがイネーブルにされた場合、新たなデジタルビデオチャネルの選択に応じて前記指定されたバッファに記憶されているプログラム信号を前記ストレージ装置に消去させる、
請求項１５記載の装置。
【請求項１８】
前記制御手段は、ＰＩＤフィルタリングがイネーブルにされたかを判定し、前記ＰＩＤフィルタリングがイネーブルにされていない場合、前記デジタルビデオチャネルがそれぞれメジャー及びマイナーチャネル番号により指定され、前記新たに選択されたデジタルビデオチャネルが新たなメジャーチャネル番号を有するサブチャネルに対応するときにのみ、前記指定されたバッファに記憶されているプログラム信号を前記ストレージ装置に消去させる、
請求項１５記載の装置。
【発明の詳細な説明】
【技術分野】
【０００１】
本発明は、ユーザ選択に応じて複数のデジタルビデオチャネルとアナログビデオチャネルのうちの１つを選択するための方法及び装置に関する。ユーザ選択は、チャネルスキャニングモード又はダイレクトチャネルセレクションモードを使用して、チャネル選択コマンドに応答して、システムの記録動作の間に受信される場合がある。
【０００２】
この米国特許出願は、“Ｍｅｔｈｏｄ  ａｎｄ  Ａｐｐａｒａｔｕｓ  ｆｏｒ  Ｃｈａｎｇｉｎｇ  Ｃｈａｎｎｅｌｓ  ｉｎ  ａ  Ｓｙｓｔｅｍ  Ｏｐｅｒａｔｉｎｇ  ｉｎ  ａ  ＰＶＲ  Ｍｏｄｅ”と題された２００３年１２月２３日に提出されたシリアル番号６０／５３２，２２８号の利益を請求するものである。
【背景技術】
【０００３】
ビデオブロードキャスト及び処理の応用では、デジタル及び／又はアナログビデオ信号は、予め決定されたビデオ信号チャネルで送信及び受信される。本明細書で使用される用語「デジタルビデオチャネル」は、たとえばＭＰＥＧ−２（ＩＳＯ／ＩＥＣ  １３８１８−１／２）に従ってエンコードされるビデオ信号といった、デジタルビデオ信号を送信するために使用される信号チャネルをいう。本明細書で使用される用語「アナログビデオチャネル」は、たとえばＮＴＳＣ規格に従うビデオ信号といった、アナログビデオ信号を送信するために使用される信号チャネルをいう。
【０００４】
慣習的なアナログシステムでは、ＮＴＳＣに従うようなビデオチャネルは、６ＭＨｚの帯域幅を占有し、信号チャネルに関連する対応するプログラム信号は、この帯域幅で搬送される。対照的に、デジタルシステムでは、６ＭＨｚ帯域幅は、それぞれがそれ自身のプログラム信号を搬送する幾つかのサブチャネルを搬送するために使用される場合がある。帯域幅の分割は、様々なサブチャネルに関連するプログラム信号を搬送するトランスポートストリームを時間多重化することでイネーブルにされる。サブチャネルのコンセプトは、本明細書で更に記載される。更に、帯域幅の割り当ては、変化するブロードキャストプログラミング要件を収容するために動的に変化される場合がある。
【０００５】
テレビジョン受信機により、ユーザは、チャネルスキャンモード及びダイレクトチャネル選局モードといった少なくとも２つのモードを使用してチャネルを選択することができる。チャネルスキャンモードでは、受信機は、チャネルアップ又はチャネルダウンコマンドに応答して、利用可能なビデオチャネルのリストに次の信号チャネルを選局又は同調させる。利用可能なビデオチャネルのリストは、周波数スペクトルに沿ったチャネルのシンプルなリストに対応するか、さもなければ決定される場合がある。チャネルスキャンリストは、たとえば限定されるものではないが、ユーザにより指定された好みのチャネルのリスト又は電子番組ガイドで生成された推薦されるリストの順次選択又はチューニング用に指定されるチャネルのリストである。チャネルスキャン動作は、順次方式での予め決定された期間のリストにおけるチャネルに自動的に同調する場合があり、シーケンシャルセレクションは、ユーザが特定のチャネルを選択するまで継続する。デジタルビデオチャネル及びアナログビデオチャネルを含むシステムでは、選択されるチャネルタイプは、チャネルスキャンコマンドに応答して交互する場合がある。ダイレクトチャネル選局モードでは、受信機は、チャネル番号のユーザエントリに応答して特定のチャネル番号を選択又は同調する。
【０００６】
一般に、かかるブロードキャストに関連する高画質、ワイドスクリーンアスペクト比及び高音質のため、デジタルテレビジョンブロードキャストを記録することができることが高く望まれる。しかし、デジタルテレビジョンブロードキャスト（ＡＴＳＣ，ＱＡＭ）を記録することは、内蔵のデジタルチューナを含まないので従来のＶＣＲを使用することができない。オーディオ／ビデオハードディスクドライブ（“ＡＶＨＤＤ”）のようなデジタルストレージデバイスを使用してデジタルテレビジョンブロードキャストを記録することができる場合がある。デジタルビデオを捕捉及び効果的に処理するその機能のため、ＡＶＨＤＤにより、ユーザは番組の再生を通して大きな制御を働かせることができる。テレビ番組を記録するためのかかるハードディスクドライブを利用する装置は、パーソナルビデオレコーダ（ＰＶＲ）又はデジタルビデオレコーダ（ＤＶＲ）と呼ばれることがあり、近年人気が出てきている。かかる装置では、受信されたビデオ信号は、いずれかの時間で受信されたビデオ信号をユーザが操作する、すなわちポーズ、リプレイ、スキップ等するのを可能にするため、バッファに連続して記憶される。
【発明の開示】
【発明が解決しようとする課題】
【０００７】
現在のＤＶＲ装置は、通常アナログ形式で記録装置により処理されているビデオ信号を一般に受信及び記録する。受信されたデジタルビデオ信号の直接的な記録を可能にする方法及び装置を提供することが望まれる。しかし、かかるシステムは、ユーザがアナログチャネルを選局したときに記録モードの間にどのようにチャネルの変化を扱うか、ＡＴＳＣによる「マイナー」チャネルと呼ばれるサブチャネルを含むチャネルでどのようにチャネル変化を扱うか、及び特にＰＩＤフィルタリングがイネーブルにされたとき、チャネルの変化に応じてビデオ信号を記憶するために使用されるバッファをどのように扱うかを含めて、幾つかのチャレンジを提供する。本発明は、これらの問題に対処するものであって、これらに対処するための方法及び装置を提供するものである。
【課題を解決するための手段】
【０００８】
本発明は、受信された番組データをデジタルストレージ装置が記憶し、これによりＰＶＲ機能を提供するのを可能にするため、デジタルバスを介して、デジタルストレージ装置をテレビジョン装置に接続するための方法及び装置を提供する。テレビジョン装置は、デジタルビデオチャネルのユーザ選局に応じて、又はリモートコントロールの予め決定された鍵又は鍵のセットのユーザ選択に応じて、記録モードで動作する場合がある。本発明は、複数のデジタルビデオチャネル及び複数のアナログビデオチャネルを含む環境でプログラムデータのストレージの処理を提供する。デジタルビデオチャネルは、複数のサブチャネルを含み、メジャー及びマイナーチャネル番号を使用して指定される場合がある。代替的な実施の形態では、デジタルストレージ装置は、テレビジョン装置に含まれる場合がある。
【０００９】
特に、本発明は、テレビジョン装置を制御する方法を提供するものであって、当該方法は、チャネルスキャンモードとダイレクトチャネル選択モードのうちの１つを使用してチャネル選択コマンドに対応するユーザ入力に応答して複数のデジタルビデオチャネルとアナログビデオチャネルのうちの１つを選択するステップ、デジタルバスを介して、デジタル記録モードで、選択されたデジタルビデオチャネルを介して受信されたプログラム信号をストレージ装置に送信するステップ、デジタル記録モードで、ユーザ入力に応答して複数のデジタルビデオチャネルとアナログビデオチャネルのうちの新たな１つを選択するステップ、チャネルスキャンモードが使用された場合、チャネルスキャンシーケンスにおいて次のデジタルビデオチャネルを選択し、チャネルスキャンシーケンスにおいて現在選択されているビデオチャネルと次のデジタルビデオチャネルとの間で介入するアナログビデオチャネルをスキップし、デジタル記録モードを保持するステップを含んでいる。さらに、当該方法は、ユーザ入力がダイレクトチャネル選択モードを使用し、選択されたチャネルがアナログビデオチャネルに対応する場合、アナログビデオチャネルを選択し、デジタル記録モードを終了するステップと、選択されたチャネルがデジタルビデオチャネルに対応する場合、デジタルビデオチャネルを選択し、デジタル記録モードを保持するステップを含んでいる。
【００１０】
また、本発明は、チャネルスキャンモードとダイレクトチャネル選択モードのうちの１つを使用してチャネル選択コマンドを含むユーザ入力を受信する手段、チャネル選択コマンドに応答して複数のデジタルビデオチャネルとアナログビデオチャネルのうちの１つを選択し、ビデオチャネルのうちの選択された１つに関連するプログラム信号を取得する手段、デジタルバスを介して、装置がデジタル記録モードにあるとき、選択されたプログラム信号をストレージ装置に送信する手段、並びに、受信手段、選択手段及び送信手段に結合され、ユーザ入力に応答して装置の動作を制御する手段を含んでおり、受信されたチャネル選択コマンドがチャネルスキャンモードを使用する場合、選択手段は、チャネルスキャンシーケンスで次のデジタルビデオチャネルを選択し、現在選択されたビデオチャネルと次のデジタルビデオチャネルとの間で介入するアナログビデオチャネルをスキップし、デジタル記録モードを保持する。さらに、本装置は、受信されたチャネル選択コマンドがダイレクトチャネル選択モードを使用し、選択されたチャネルがアナログビデオチャネルに対応する場合、選択手段は、アナログビデオチャネルを選択してデジタル記録モードを終了し、選択されたチャネルがデジタルビデオチャネルに対応する場合、選択手段は、デジタルビデオチャネルを選択し、本装置は、デジタル記録モードを保持する。
【００１１】
本発明の先に記載された他の特徴及び目的、並びにそれに付随する方法は更に明らかとなり、発明それ自身は、添付図面と共に行われる本発明の実施の形態の以下の記載を参照することで良好に理解される。  
対応する参照符号は、幾つかの図を通して対応する部材を示す。本明細書で述べられる例示は、何れかの方法で本発明の範囲を限定するとして解釈されるべきではない。
【発明を実施するための最良の形態】
【００１２】
図１は、本発明の原理に係る、ブロードキャスト信号を復調及びデコードするためのデジタルビデオ受信システムのブロック図である。開示されるシステムは、デジタルビデオチャネル及びアナログビデオチャネルで送信されるビデオ信号を受信するシステムの環境で記載されるが、これは例示するだけのものである。デジタルビデオ信号は、様々なタイプのものである場合がある。たとえば、高精細テレビジョン（ＨＤＴＶ）信号の規格である“Ｄｉｇｉｔａｌ  Ｔｅｌｅｖｉｓｉｏｎ  Ｓｔａｎｄａｒｄ  ｆｏｒ  ＨＤＴＶ  Ｔｒａｎｓｍｉｓｓｉｏｎ  ｏｆ  Ａｐｒｉｌ  １２  １９９５”に従う場合がある。代替的に、特定のシステムのプロプライエタリ又はカスタム要件に従って形成される場合がある。
【００１３】
本発明の原理は、地上波、ケーブル、サテライト、インターネット又はコンピュータネットワーク・ブロードキャストシステムに適用される場合があり、このシステムでは、符号化タイプ又は変調フォーマットが変化される場合がある。かかるシステムは、たとえば、他のタイプのエンコードされたデータストリーム及び他の方法の伝達プログラム特定情報を含むノンＭＰＥＧコンパチブルシステムを含む。用語「プログラム」は、たとえばオーディオデータ、テレフォンメッセージ、コンピュータプログラム、インターネットデータ又は他のコミュニケーションのようなパケット化されたデータの何れかの形式を表すために使用される。
【００１４】
概要では、図１のビデオレシーバシステムでは、ブロードキャストプログラムコンテンツを表すオーディオ、ビデオ及び関連されるデータを搬送する信号で変調されたブロードキャストキャリアは、アンテナ１０により受信され、ユニット１３により処理される。結果的に得られるデジタル出力信号は、復調器１５により復調される。ユニット１５からの復調された出力は、デコーダ１７によりトレリス復号され（ｔｒｅｌｌｉｓ  ｄｅｃｏｄｅｄ）、バイト長のデータセグメントにマッピングされ、デインタリーブされ、リードソロモン誤り訂正される。ユニット１７からの訂正された出力データは、多重化されたオーディオ、ビデオ及びデータコンポーネントを表すプログラムを含むＭＰＥＧと互換性のあるトランスポートデータストリームの形式である。ユニット１７からのトランスポートストリームは、ユニット２２によりオーディオ、ビデオ及びデータコンポーネントに分離され、これらはデコーダシステム１００の他のエレメントにより更に処理される。１つのモードでは、デコーダ１００は、ユニット５０及び５５のそれぞれで、表示用のＭＰＥＧデコードされたデータ及びオーディオ再生を提供する。記録モードでは、ユニット１７からのトランスポートストリームは、デコーダ１００により処理され、ストレージ装置９０を介してストレージメディア１０５でのストレージのためのＭＰＥＧ規格と互換性のあるデータストリームを提供する。かかるシステムは、たとえばインディアナ州アンディアナにあるＴｈｏｍｓｏｎ社により製造されるＲＣＡ  ＡＴＣ３２Ｘ  ＨＤＴＶレシーバから知られている。
【００１５】
例示的な実施の形態では、ストアインタフェース９５とストレージ装置９０との間の接続は、ＩＥＥＥ１３９４コネクションを介してなされる。ＩＥＥＥ１３９４コネクションは、公知のデジタルデータバスであり、テレビジョンレシーバとストレージ装置９０との間でデジタルデータを伝送するのを可能にする。他の適切なデジタルデータバスは、限定されるものではないが、ＵＳＢ、Ｅｔｈｅｒｎｅｔ（登録商標）等を含めて使用される場合がある。ストレージ装置９０は、ビデオデータを記憶するためにそこに１以上のハードディスクを有するＡＶＨＤＤ装置である。ストレージ装置９０は、ＰＶＲに関連する機能を提供するために現在受信されたビデオデータを記憶するためのテンポラリバッファを含む。テンポラリバッファは、以下に記載されるように満たされ、空にされる。限定されるものではないが、固体メモリ、書換え可能な光ディスク等を含めて他の適切なストレージ装置が使用される場合がある。例示的な実施の形態では、ストレージ装置９０は、デジタルバスを介してテレビジョンレシーバに接続される個別のエレメントである。代替的な実施の形態では、ストレージ装置は、テレビジョンレシーバの一部として含まれる場合がある。
【００１６】
例示的な実施の形態では、本装置は、デジタルビデオチャネルのユーザ選択に応じて記録モードに入る。記録モードにあるとき、ビデオデータが受信されると、受信されたビデオデータはストレージ装置９０におけるバッファに自動的に記憶される。次いで、テレビジョンレシーバは、ユーザコマンドに応答してバッファからのビデオデータを処理して表示し、現在受信されたビデオのポーズ、早送り、巻き戻しのようなＰＶＲに関連する機能を提供する場合がある。たとえば、リモートコントロールユニット７０でのレコードキーのユーザアクチベーションに応答するか、又はたとえばトランスポートキー（ポーズ、スロー、ＦＦ、巻き戻し、インスタントリプレー等）といったリモートコントロールユニット７０で指定されたキーのユーザ選択に応答して、代替的な方法を使用して記録モードに入る場合がある。
【００１７】
ユーザは、リモートコントロールユニット７０を使用することで、プログラムガイドのようなＴＶチャネル又はオンスクリーンメニューのいずれかを見るために選択する。プロセッサ６０は、見るために所望の番組チャネルを受信するために図１のエレメントを適切に構成するため、インタフェース６５を介してリモートコントロールユニット７０から供給された選択情報を使用する。プロセッサ６０は、プロセッサ６２及びコントローラ６４を有する。ユニット６２は、プログラムガイド及びシステム情報を含むプログラムに特化した情報（すなわち分析、照合及びアセンブル）を処理し、コントローラ６４は、デコーダ１００を動作するのに必要とされる残りの制御機能を実行する。ユニット６０の機能はず１に示されるような個別のエレメント６２及び６４として実現されるが、代替的に１つのプロセッサで実現される場合がある。たとえば、ユニット６２及び６４の機能は、マイクロプロセッサのプログラムされた命令で組み込まれる場合がある。プロセッサ６０は、プロセッサ１３、復調器１５、入力信号のフォーマット及び符号化タイプを復調及びデコードするため、デコーダ１７及びデコーダシステム１００を構成する。ユニット１３，１５，１７及びデコーダ１００内のサブユニットは、双方向性のデータ及び制御信号バスＣを使用してこれらエレメントでの制御レジスタ値を設定するプロセッサ６０により入力信号のタイプについて個々に構成される。
【００１８】
デコーダ１００に供給されるトランスポートストリームは、番組チャネルデータ及びプログラムに特化した情報を含むデータパケットを含む。ユニット２２は、番組に特化した情報パケットをプロセッサ６０に向け、このプロセッサは、この情報を分析、照合して、階層的に配列されたテーブルにアセンブルする。ユーザにより選択されたプログラムチャネルを含む個々のデータパケットは、アセンブルされたプログラムに特化した情報を使用して識別され、組み立てられる。プログラムに特化した情報は、図１のシステムが完全な番組を形成するために所望のチャネルに同調してデータパケットをアセンブルするのを可能にする、条件付きアクセス、ネットワーク情報並びに識別及びリンクデータを含む。
【００１９】
図１を詳細に考えると、アンテナ１０により受信されたオーディオ、ビデオ及び関連するデータを表すプログラムを搬送する信号で変調された搬送波は、デジタル形式に変換され、入力プロセッサ１３により処理される。プロセッサ１３は、無線周波（ＲＦ）チューナ及び中間周波（ＩＦ）ミキサ、入力信号を更なる処理に適した低周波帯域にダウンコンバートする増幅ステージを含む。この例示的なシステムでは、アンテナ１０により受信された入力信号は、３３のＰｈｙｓｉｃａｌ  Ｔｒａｎｓｍｉｓｓｉｏｎ  Ｃｈｎａｎｎｅｌｓ（ＰＴＣ  ０−３２）を含む。それぞれのＰｈｙｓｉｃａｌ  Ｔｒａｎｓｍｉｓｓｉｏｎ  Ｃｈｎａｎｎｅｌｓ（ＰＴＣ）には、６ＭＨｚの帯域幅が割り当てられており、たとえば６つのサブチャネルまでを含む。
【００２０】
ビデオレシーバのユーザはリモートコントロールユニット７０を使用して見るためにサブチャネル（ＳＣ）を選択することを例示のために想定している。プロセッサ６０は、インタフェース６５を介してリモートコントロールユニット７０から供給される選択情報を使用し、デコーダ１００のエレメントを適切に構成して、選択されたサブチャネルＳＣに対応するＰＴＣを受信する。ダウンコンバージョンに続いて、選択されたＰＴＣのユニット１３からの出力信号は、６ＭＨｚの帯域幅及び１１９〜４０５ＭＨｚのレンジでの中心周波数を有する。以下の説明では、ＲＦチャネル又はＰｈｙｓｉｃａｌ  Ｔｒａｎｓｍｉｓｓｉｏｎ  Ｃｈｎａｎｎｅｌｓ（ＰＴＣ）は、割り当てられたブロードキャスタの伝送チャネルバンドを示し、このチャネルバンドは、１以上のサブチャネル（バーチャル又はロジカルチャネルとも呼ばれる）を包含する。
【００２１】
プロセッサ６０は、選択されたＰＴＣを受信するため、無線周波（ＲＦ）チューナ及び中間周波（ＩＦ）ミキサ及びユニット１３の増幅ステージを構成する。選択されたＰＴＣのダウンコンバートされた周波数出力は、ユニット１５により復調される。復調器１５の主要な機能は、搬送波周波数のリカバリ及びトラッキング、送信されたデータクロック周波数のリカバリ、及びビデオデータそれ自身のリカバリである。また、ユニット１５は、送信機のクロックに対応するサンプリング及び同期クロックを回復し、プロセッサ１３、復調器１５及びデコーダ１７の動作をタイミング調整するために使用される。ユニット１５からの回復された出力は、デコーダ１７に提供される。
【００２２】
復調器１５からの出力は、ユニット１７による公知の原理に従って、バイト長のデータセグメントにマッピングされ、デインタリーブされ、リードソロモン誤り訂正される。さらに、ユニット１７は、前方誤り訂正（ＦＥＣ：  Ｆｏｒｗａｒｄ  Ｅｒｒｏｒ  Ｃｏｒｒｅｃｔｉｏｎ）の有効性又はロック指示をプロセッサ６０に提供する。リードソロモン誤り訂正は、公知のタイプの前方誤り訂正である。ＦＥＣロックの指示は、リードソロモン誤り訂正が訂正されているデータに同期されており、有効な出力を供給することを指示する。なお、ユニット１３，１５及び１７により実現される復調器及びデコーダ機能は、個々に知られており、たとえば引例“Ｄｉｇｉｔａｌ  Ｃｏｍｍｕｎｉｃａｔｉｏｎ，  Ｌｅｅ  ａｎｄ  Ｍｅｓｓｅｒｓｃｈｍｉｄｔ  （Ｋｌｕｗｅｒ  Ａｃａｄｅｍｉｃ  Ｐｒｅｓｓ，  Ｂｏｓｔｏｎ，  ＭＡ，  ＵＳＡ，  １９８８）”で一般に記載されている。
【００２３】
ユニット１７からの訂正された出力データは、ＭＰＥＧ規格に互換性のあるトランスポートプロセッサ及びデマルチプレクサ２２により処理される。特定のプログラムチャネルコンテンツ又はプログラムに特化した情報のいずれかを含む個々のパケットは、それらのパケット識別子（ＰＩＤ）により識別される。プロセッサ２２は、パケットヘッダ情報に含まれるパケット識別子（ＰＩＤ）の分析に基づくタイプに従ってデータを分離し、その後のビデオ、オーディオ及びデータ伸張で使用される同期及び誤り指示情報を提供する。
【００２４】
プロセッサ２２に供給される訂正された出力データは、幾つかのサブチャネルを通して分散される多くのプログラムについて、プログラムチャネルコンテンツ及びプログラムに特化した情報を含むトランスポートデータストリームの形式である。この例示的な説明におけるプログラムに特化した情報は、特定のＰＴＣのトランスポートストリームに存在するサブチャネルを記載している。しかし、別の実施の形態では、プログラムに特化した情報は、他のＰＴＣに位置され、異なるトランスポートストリームで伝達されるサブチャネルをも記載する場合がある。これらサブチャネルのグループは、それらソースが特定のブロードキャスタであるか、アナログのＮＴＳＣ規格に準拠したブロードキャストチャネルに前もって割り当てられる伝送帯域幅を占める点で関連付けされる。さらに、トランスポートストリームで選択されたプログラムチャネルを含む個々のパケットは、プログラムに特化した情報に含まれるＰＩＤを使用してプロセッサ２２と共に動作するプロセッサ６０により識別され、アセンブルされる。
【００２５】
現在、アナログのビデオチャネルとデジタルビデオチャネルは、互いのブロードキャスタに割り当てられている。全てのアナログビデオチャネルは、周波数スペクトルの一方の端に位置され、デジタルビデオチャネルは、周波数スペクトルの別の端に位置されている。しかし、チャネルのシーケンシャルオーダリングは、テレビジョンレシーバの製造業者により決定される場合がある。たとえば、チャネルスキャン動作の間、全てのアナログビデオチャネルがはじめにスキャンされ、次いでデジタルビデオチャネルが続く。代替的に、チャネルは、ブロードキャスタに従ってスキャンされる場合があり、たとえば、ブロードキャスタのデジタルビデオチャネルは、そのブロードキャスタに関連するアナログビデオチャネルの後にスキャンされる。
【００２６】
先に述べたように、デジタルビデオチャネルは、ブロードキャスタによりサブチャネルに分割される場合がある。そのケースでは、サブチャネルは、それぞれのメジャー及びマイナーチャネル番号により指定され、第一のチャネル番号又はメジャーチャネル番号は、ブロードキャスタを示し、第二のチャネル番号又はマイナーチャネル番号は、デジタルビデオチャネル内のサブチャネル番号を示す。たとえば、ニューヨーク市におけるブロードキャスタは、メジャーチャネル番号５を使用し、その割り当てられたデジタルビデオチャネルでサブチャネル５−１〜５−４を有する。チャネル又はサブチャネルは、それと関連するメジャー及びマイナーのチャネル番号を有し、多重化される場合があり、他のデジタルビデオチャネルは、バーチャルチャネルと呼ばれることがある。チャネルスキャン動作の間、テレビジョンレシーバは、一般に、次の主要なチャネルと関連するチャネルに到達する前に、メジャーチャネルでのマイナーチャネルのそれぞれを通してスキャンする。
【００２７】
図２〜図４は、テレビジョンレシーバ装置がテレビジョン装置により受信されたプログラムデータを記録するためにＡＶＨＤＤに結合される、本発明との使用に適した付加的な構成を示している。
【００２８】
図２は、ケーブル／サテライトボックス２０２がＴＶチューナ（デジタルコンテンツ入力源）である状況を例示している。テレビジョン装置２０４は、ＩＥＥＥ１３９４規格に準拠したケーブル／サテライトボックス２０２とＡＶＨＤＤ２０６との間のピア・ツー・ピアコネクションを確立する。ＥＩＡ−９３１−Ａの矢印は、ＩＥＥＥ１３９４コネクションを表し、ＩＥＣ−６１８８３の矢印は、オーディオ／ビデオ機器のデジタルインタフェースプロトコルを表す。
【００２９】
図３は、ケーブル／サテライトボックス３０２がＰＶＲモードにおけるＴＶデジタルコンテンツの入力源である状況を例示している。テレビジョン装置３０４は、本発明の原理に従って、ＩＥＥＥ１３９４規格に準拠したケーブル／サテライトボックス３０２とＡＶＨＤＤ３０６との間のピア・ツー・ピアコネクションを確立する。ＩＥＣ−６１８３の矢印は、ＡＶＨＤＤ３０６とテレビジョン装置３０４との間のオーディオ／ビデオ機器のデジタルインタフェースプロトコルを表す。
【００３０】
図４は、ケーブル／サテライトボックス４０２はＰＶＲモードでのＴＶチューナ（デジタルコンテンツ入力源）である状況を例示している。本発明の原理に係るテレビジョン装置４０４は、ＩＥＥＥ１３９４規格に準拠したケーブル／サテライトボックス４０２とＡＶＨＤＤ４０６との間のピア・ツー・ピアコネクションを確立する。ＩＥＣ−６１８８３の矢印は、ＡＶＨＤＤ４０６とテレビジョン装置４０４との間のオーディオ／ビデオ機器のデジタルインタフェースプロトコルを表す。ＥＩＡ−９３１−Ａは、テレビジョン装置４０４とケーブル／サテライトボックス４０２との間のＩＥＥＥ１３９４コネクションを表す。
【００３１】
本明細書で説明されるように、記録動作は、ケーブル又はサテライトセットトップボックスを含む場合があるテレビジョン信号受信機が、選択されたビデオチャネルから受信されたプログラム信号を伝送し、接続された又は統合されたストレージ装置のバッファに記憶する動作をいう。問題は、テレビジョンレシーバがそこに含まれるＭＰＥＧエンコーダを有さない場合があるため、アナログビデオチャネルが選択されたとき、チャネルの変化の間の記録動作を実行することに存在する場合がある。テレビジョンレシーバがＭＰＥＧエンコーダを含まない場合、テレビジョンは、ＰＶＲ機能をイネーブルにするため、デジタルビデオデータをストレージ装置に転送することができない。本発明によれば、テレビジョンレシーバが記録モードで動作している場合、すなわちデジタルバスを介してストレージ装置におけるバッファに受信されたビデオデータを転送して、チャネルスキャンコマンドが受信された場合、テレビジョンレシーバは、介入しているアナログビデオ信号をスキップして、次のデジタルビデオチャネルに同調する。また、テレビジョンレシーバが記録モードで動作しており、ダイレクトチャネル選択コマンドが受信された場合、ここで選択されたチャネルはアナログチャネルであって、テレビジョンレシーバは、記録動作を終了して、選択されたアナログビデオチャネルに同調する。選択されたチャネルがデジタルチャネルである場合、テレビジョンレシーバはチャネルを選択し、記録動作を継続する。
【００３２】
先のシステムにおける更なる問題は、記録モードにおける間にメジャー及びマイナーチャネルの環境でのチャネル変化の対処である。メジャーチャネルでサブチャネルを受信及び処理する間、ＰＩＤフィルタリングがイネーブル及びディスエーブルにされる場合がある。ＰＩＤフィルタリングがイネーブルにされる場合、選択されたサブチャネルに関連するパケットのみが選択され、したがって、より小さなデータ量のみがバッファに記憶される必要がある。ＰＩＤフィルタリングがディスエーブルにされる場合、デジタルビデオチャネルに関連する全てのデータパケットがバッファに記憶される。本発明によれば、選択されたチャネルが現在のメジャーチャネルでの別のマイナーチャネルであって、ＰＩＤフィルタリングがイネーブルであるとき、テンポラリバッファは空にされて新たなチャネルが選択され、さもなければテンポラリバッファは新たなチャネルが選択される前に空にされず、これにより、ユーザは前のサブチャネルから記憶されたプログラムデータを検討することができる。選択されたチャネルが新たなメジャーチャネルにおけるサブチャネルである場合、テンポラルバッファは、新たなチャネルが選択される前に常に空にされる。例示的な実施の形態では、ＰＩＤフィルタリングは、ユーザにより選択的にイネーブルにされる場合がある。代替的に、ＰＩＤフィルタリングは、テレビジョンレシーバによりデフォルト状態に設定される場合があり、ユーザは、望まれるようにデフォルト状態を無効にする場合がある。
【００３３】
図５は、本発明に係る方法に関連するステップを示すフローチャートである。方法５００は、ステップ５０２を含み、このステップでは、本装置は、デジタルビデオチャネルがビューイングのために選択されたときに記録モード又はＰＶＲモードで動作する。このモードでは、受信されたビデオ信号は、ストレージ装置に連続的に転送され、テレビジョン装置は、チャネル変化コマンドを待つ。
【００３４】
ステップ５０４でチャネル変化コマンドの受信に応じて、チャネル変化コマンドがチャネルアップコマンドの形式であるか、又はチャネルダウンコマンドの形式であるか、すなわちチャネルスキャンコマンドの形式であるか、又はダイレクトチャネルセレクションコマンドの形式であるかが判定される。チャネル変化コマンドがダイレクトチャネル選択コマンドの形式である場合、本方法はステップ５０６に進み、このステップでは、選択されたチャネルがアナログビデオチャネルであるか、又はデジタルビデオチャネルであるかが判定される。選択されたチャネルがアナログビデオチャネルである場合、本方法はステップ５０８に進み、このステップで記録モードが終了され、本装置は、選択されたチャネルに同調し、受信されたアナログビデオ信号を処理する。
【００３５】
選択されたチャネルがデジタルビデオチャネルである場合、本方法はステップ５１６に進み、このステップで、選択されたチャネルが同じメジャーチャネルのマイナーチャネルであるか、又は新たなメジャーチャネルのマイナーチャネルであるかが判定される。前者である場合、本方法はステップ５１８に進み、このステップでは、ＰＩＤフィルタリングがＯＮであるかＯＦＦであるかが判定される。ＰＩＤフィルタリングがＯＮである場合、テンポラリタイムシフトバッファは、ステップ５２０で空にされ、選択された次のマイナーチャネルはステップ５２２で選択される。ＰＩＤフィルタがＯＦＦである場合、選択された次のマイナーチャネルは、テンポラリタイムシフトバッファを空にすることなしに、ステップ５２２で選択される。
【００３６】
ステップ５１６で、選択されたチャネルが新たなメジャーチャネルの新たなマイナーチャネルであると判定された場合、本方法は、テンポラリタイムシフトバッファが空にされるステップ５２４に進み、選択されたチャネルが同調されるステップ５２６に進む。次いで、本方法は、ステップ５０２に戻り、記録モードを継続する。
【００３７】
ステップ５０４で、チャネル変化コマンドがチャネルスキャンコマンド、すなわちチャネルアップ又はチャネルダウンコマンドであると判定された場合、本方法はステップ５１２に進み、チャネルリストにおける次のチャネルがアナログビデオチャネルであるかデジタルビデオチャネルであるかが判定される。次のチャネルがアナログビデオチャネルである場合、本方法は、ステップ５１４で、アナログビデオチャネル及びいずれか他の介入するアナログビデオチャネルをスキップし、次のデジタルビデオチャネルに同調する。次のチャネルがデジタルビデオチャネルである場合、本方法はステップ５１６に進み、先に記載されたように継続する。
【図面の簡単な説明】
【００３８】
【図１】本発明が実施される場合がある例示的なテレビジョンシステム及びストレージ装置の簡略化されたブロック図である。
【図２】ＴＶチューナとしてＩＥＥＥ１３９４規格に準拠したケーブル／サテライトボックスの使用を例示するブロック図である。
【図３】本発明の原理に係るＰＶＲモードでのＩＥＥＥ１３９４規格に準拠したケーブル／サテライトボックスの使用を例示するブロック図である。
【図４】本発明の原理に係るＴＶチューナとしてＰＶＲモードでＩＥＥＥ１３９４規格に準拠したケーブル／サテライトボックスの使用を例示するブロック図である。
【図５】本発明の動作に関する例示的な方法に関するフローチャートである。
【図１】
2007520933.tif 000003
【図２】
2007520933.tif 000004
【図３】
2007520933.tif 000005
【図４】
2007520933.tif 000006
【図５】
2007520933.tif 000007
【国際調査報告】
2007520933.tif 000008
2007520933.tif 000009